(57)【特許請求の範囲】
【請求項１】
電気掃除機の吸い込み具に対して吸い込み口を囲むように取り付けられる可撓性を有する帯状のブラシであって、
複数のブラシ糸と、
該各ブラシ糸を互いに並列した状態で保持する保持糸と、
前記保持糸を挟持した状態で接合される可撓性材料によって構成されている挟持部と、ブラシ先端方向に面する被係止部と、を有した基材と、
前記各ブラシ糸に沿うように前記挟持部に支持された、空気の流通を遮断可能な可撓性を有する遮断部材と
を備えたことを特徴とするブラシ。
【請求項２】
前記遮断部材は、前記保持糸とともに前記挟持部に挟持された状態で接合されたことを特徴とする請求項１に記載のブラシ。
【請求項３】
前記遮断部材は、前記ブラシ糸に沿うように前記挟持部と一体に形成されたことを特徴とする請求項１に記載のブラシ。
【請求項４】
前記各ブラシ糸における前記挟持部から突出した部分の長さは、前記基材の長さの半分以下であることを特徴とする請求項１〜請求項３のうちいずれか一項に記載のブラシ。
【請求項５】
前記各ブラシ糸の先端は、前記遮断部材の先端よりも突出していることを特徴とする請求項１〜請求項４のうちいずれか一項に記載のブラシ。
【発明の詳細な説明】
【技術分野】
【０００１】
本発明は、電気掃除機の吸い込み具に取り付けられるブラシに関する。
【背景技術】
【０００２】
一般に、電気掃除機は本体部と該本体部にホースを介して接続された吸い込み具とを備えている。そして、この吸い込み具を絨毯、フローリング、畳等の床面上を移動させながら該吸い込み具の底面に設けられた吸い込み口からエア（気体）を吸引することにより、本体部内に床面上の塵埃が吸い込まれるように構成されている。そして、近年では、床面上の塵埃を掃き取りながら吸引するべく、吸い込み具の底面にブラシを設けたものが数多く見られるようになってきた（例えば、特許文献１）。
【０００３】
この特許文献１に記載の真空掃除機用吸込具では、吸込具本体の先端部に、吸込口を取り囲むようにゴム製のノズル部材を二重に取り付け、さらにこれらのノズル部材間に毛先が外部に突出するようにブラシを植設している。そして、使用時には、ブラシによって塵埃を掃き取るとともに、各ノズル部材によってブラシの毛束間を空気が漏流することを防止して吸引力の低下を抑制するようになっている。
【先行技術文献】
【特許文献】
【０００４】
【特許文献１】特開平６−３０４１０３号公報
【発明の概要】
【発明が解決しようとする課題】
【０００５】
ところで、特許文献１の真空掃除機用吸込具では、ブラシによって塵埃を掃き取りつつ各ノズル部材によって吸引力の低下を抑制することはできるものの、各ノズル部材及びブラシが互いに別部材として構成されているため、これらの吸込具本体への取り付け作業が困難であるという問題があった。
【０００６】
本発明は、このような課題に着目してなされたものである。その目的とするところは、電気掃除機の吸い込み具への取り付け作業が容易で、吸引力の低下を抑制することが可能なブラシを提供することにある。
【課題を解決するための手段】
【０００７】
上記の目的を達成するために、ブラシに係る請求項１に記載の発明は、電気掃除機の吸い込み具に対して吸い込み口を囲むように取り付けられる可撓性を有する帯状のブラシであって、複数のブラシ糸と、該各ブラシ糸を互いに並列した状態で保持する保持糸と、前記保持糸を挟持した状態で接合される可撓性材料によって構成されている挟持部と、ブラシ先端方向に面する被係止部と、を有した基材と、前記各ブラシ糸に沿うように前記挟持部に支持された、空気の流通を遮断可能な可撓性を有する遮断部材とを備えたことを要旨とする。
【０００８】
上記構成によれば、保持糸、基材、及び遮断部材が一体に形成されるため、電気掃除機の吸い込み具に対してブラシを容易に取り付けることが可能となる。加えて、電気掃除機の使用時に、ブラシで囲まれた空間への周囲の空気の流入を遮断部材によって遮断することができるので、電気掃除機の吸引力の低下を抑制することが可能となる。
【０００９】
上記構成によれば、例えば電気掃除機の吸い込み具に基材を挿入状態で係止可能な凹溝を形成することで、該吸い込み具に対してブラシを効率よく容易に取り付けることが可能となる。
また、遮断部材の各ブラシ糸に対する追従性を高めることが可能となる。
【００１０】
請求項２に記載の発明は、請求項１に記載の発明において、前記遮断部材は、前記保持糸とともに前記挟持部に挟持された状態で接合されたことを要旨とする。
上記構成によれば、各ブラシ糸に遮断部材を密着させることができるので、遮断部材の各ブラシ糸に対する追従性を高めることが可能となる。
【００１１】
請求項３に記載の発明は、請求項１に記載の発明において、前記遮断部材は、前記ブラシ糸に沿うように前記挟持部と一体に形成されたことを特徴とする請求項１に記載のブラシ。
遮断部材が基材の一方の挟持部に一体形成されているため、ブラシを構成する部品点数を低減することができる。
【００１２】
請求項４に記載の発明は、請求項１〜請求項３のうちいずれか一項に記載の発明において、前記各ブラシ糸における前記挟持部から突出した部分の長さは、前記基材の長さの半分以下であることを要旨とする。
【００１３】
上記構成によれば、ブラシにおける各ブラシ糸の占める割合が抑えられるので、ブラシで囲まれた空間への周囲の空気の流入が低減される。したがって、電気掃除機の吸引力の低下を効果的に抑制することが可能となる。
【００１４】
請求項５に記載の発明は、請求項１〜請求項４のうちいずれか一項に記載の発明において、前記各ブラシ糸の先端は、前記遮断部材の先端よりも突出していることを要旨とする。
【００１５】
上記構成によれば、被清掃面に対して、遮断部材を接触させることなく各ブラシ糸を摺接させることができるので、被清掃面に対するブラシの摺動性を向上させることが可能となる。
【発明の効果】
【００１６】
本発明によれば、電気掃除機の吸い込み具への取り付け作業が容易で、吸引力の低下を抑制することが可能なブラシを提供することができる。
【図面の簡単な説明】
【００１７】
【図１】第１実施形態における電気掃除機の吸い込み具を示す底面図。
【図２】同吸い込み具の使用状態を示す側面図。
【図３】同吸い込み具に取り付けられるブラシの斜視図。
【図４】同ブラシを構成する毛羽体の製造過程を示す模式図。
【図５】同ブラシにおいて、毛羽体及びフィルムを基材の各挟持片間に挿入するときの状態を示す側面模式図。
【図６】（ａ）は毛羽体及びフィルムを基材の各挟持片間に挿入したときの状態を示す側面模式図、（ｂ）は毛羽体及びフィルムを基材の各挟持片に溶着したときの状態を示す側面模式図。
【図７】図１の７−７線断面模式図。
【図８】第２実施形態において、電気掃除機の吸い込み具にブラシを取り付けたときの状態を示す要部拡大断面模式図。
【図９】第３実施形態において、電気掃除機の吸い込み具にブラシを取り付けたときの状態を示す要部拡大断面模式図。
【図１０】変更例において、電気掃除機の吸い込み具にブラシを取り付けたときの状態を示す要部拡大断面模式図。
【図１１】変更例において、電気掃除機の吸い込み具にブラシを取り付けたときの状態を示す要部拡大断面模式図。
【図１２】変更例において、電気掃除機の吸い込み具にブラシを取り付けたときの状態を示す要部拡大断面模式図。
【図１３】変更例において、電気掃除機の吸い込み具にブラシを取り付けたときの状態を示す要部拡大断面模式図。
【図１４】変更例において、電気掃除機の吸い込み具にブラシを取り付けたときの状態を示す要部拡大断面模式図。
【図１５】変更例において、電気掃除機の吸い込み具にブラシを取り付けたときの状態を示す要部拡大断面模式図。
【図１６】変更例において、電気掃除機の吸い込み具にブラシを取り付けたときの状態を示す要部拡大断面模式図。
【発明を実施するための形態】
【００１８】
（第１実施形態）
以下、本発明のブラシの第１実施形態を図面に基づいて説明する。
まず、ブラシが取り付けられる電気掃除機の吸い込み具の構成について説明する。
【００１９】
図１及び図２に示すように、電気掃除機の吸い込み具１１は、底面視略Ｔ字状をなしている。吸い込み具１１の底面１１ａにおける前寄りの位置には、左右方向（吸い込み具１１の幅方向）に長い矩形状の吸い込み口１２が開口している。吸い込み具１１の底面１１ａにおける前端部及び後端部には、左右一対の収容凹部１３がそれぞれ形成されている。すなわち、吸い込み具１１の底面１１ａには、前後方向（吸い込み具１１の移動方向）において吸い込み口１２を挟んだ両側に収容凹部１３が２つずつ設けられている。
【００２０】
各収容凹部１３内には車輪１４が左右方向に延びる軸線を中心に回転可能に軸部材１５によって支持された状態でそれぞれ収容されるとともに、該各車輪１４の一部は各収容凹部１３からそれぞれはみ出している。また、吸い込み具１１の底面１１ａには、吸い込み口１２を囲むように、ブラシ１６が取り付けられている。さらに、吸い込み具１１の後端部には接続パイプ１７の一端側が該吸い込み具１１に対して回動可能に接続される一方、該接続パイプ１７の他端側は電気掃除機の本体部（図示略）に接続されている。
【００２１】
そして、電気掃除機の使用時には、被清掃面である床面Ｆ上におけるブラシ１６の内側の塵、埃、毛髪等の塵埃が空気とともに吸い込み口１２及び接続パイプ１７を介して電気掃除機の本体部（図示略）内へと吸い込まれるようになっている。
【００２２】
次に、ブラシ１６の構成について詳述する。
図３に示すように、ブラシ１６は、長尺状の基材２０と、該基材２０に接合された帯状の毛羽体２１と、該基材２０に接合されるとともに空気の流通を遮断可能な遮断部材としての可撓性を有するポリプロピレン製のフィルム２２とを備えている。基材２０は、オレフィン系（本実施形態では、ポリプロピレン系）の熱可塑性エラストマ（可撓性材料）を押出成型することによって形成されている。基材２０は、毛羽体２１及びフィルム２２を挟持するための挟持部としての一対の帯状をなす挟持片２０ａと、該各挟持片２０ａの基端同士を繋ぐ帯状の連結部２０ｂとを備えている。すなわち、基材２０は、側面視略Ｕ字状をなしている。
【００２３】
図４に示すように、毛羽体２１は、ポリアミド製のマルチフィラメントで構成された１本のブラシ糸２１ａを蛇行状に編み、両側の湾曲部分を互いに平行に延びる複数本（本実施形態では２本）のポリプロピレン製の保持糸２３によってそれぞれ編んだ後、中央部分を切断する（図４の矢印に沿って切断する）ことによって同時に２つ形成される。すなわち、毛羽体２１は、互いに並列に配置した状態の複数のＵ字状をなすブラシ糸２１ａの基端部（湾曲部分側）を、該各ブラシ糸２１ａの並列方向に沿って真っ直ぐ互いに平行に延びる２本の保持糸２３によって一体に保持することによって形成されている。
【００２４】
そして、毛羽体２１及びフィルム２２と、基材２０とを接合する場合には、図５に示すように、まず、毛羽体２１とフィルム２２とを重ねた状態で、それらの基端側（一端側）を基材２０の各挟持片２０ａ間に挿入する。すると、図６（ａ）に示すように、毛羽体２１の各保持糸２３（毛羽体２１の基端部分）及びフィルム２２の基端側が各挟持片２０ａによって挟持された状態になる。
【００２５】
この状態で、各挟持片２０ａの外側から該各挟持片２０ａとともに各保持糸２３及びフィルム２２の基端側を超音波ホーン２５とアンビル２６とで挟圧しながら超音波を付与すると、該超音波による振動によって発生する摩擦熱によって、各挟持片２０ａと各保持糸２３とフィルム２２とが互いに溶着される。
【００２６】
このようにして、各挟持片２０ａとともに各保持糸２３及びフィルム２２を超音波ホーン２５とアンビル２６とで挟圧する位置を基材２０の長手方向に沿って少しずつずらしながら連続的または断続的に各挟持片２０ａと各保持糸２３とフィルム２２とを互いに繰り返し溶着することで、図６（ｂ）に示すブラシ１６が得られる。なお、ブラシ１６は、各ブラシ糸２１ａの先端が、フィルム２２の先端よりも若干（例えば、１〜１０ｍｍ程度）突出している。
【００２７】
図１及び図７に示すように、吸い込み具１１の底面１１ａには、ブラシ１６を取り付けるための凹溝２７が、吸い込み口１２を囲むように矩形環状に形成されている。凹溝２７における吸い込み口１２側の内側面には、ブラシ１６の基材２０を係止可能な係止片２８が複数突設されている。すなわち、本実施形態では、凹溝２７の吸い込み口１２側の内側面において、矩形状の凹溝２７の各長辺に４つの係止片２８が等間隔となるようにそれぞれ配置されるとともに、矩形状の凹溝２７の各短辺の中央部に１つの係止片２８が配置されている。
【００２８】
そして、ブラシ１６を吸い込み具１１の凹溝２７に取り付ける場合には、長尺帯状のブラシ１６を凹溝２７の長さに合わせて切断した後、該ブラシ１６を基材２０側から凹溝２７内に該凹溝２７に沿って順次挿入していけばよい。このとき、凹溝２７における係止片２８が配置された位置では、ブラシ１６を基材２０側から凹溝２７内に押し込むと、基材２０が弾性変形しながら係止片２８よりも凹溝２７の奥側へ移動された後、該基材２０が自らの弾性復元力によって弾性変形前の元の形状に戻る。
【００２９】
これにより、基材２０が各係止片２８により凹溝２７内において複数箇所（本実施形態では１０箇所）で係止される。このように、ブラシ１６全体（特に、基材２０）が可撓性を有しているため、ブラシ１６を基材２０側から凹溝２７内に該凹溝２７に沿って容易に挿入することができる。このため、ブラシ１６を吸い込み具１１に対して容易に取り付けることができる。なお、ブラシ１６が吸い込み具１１の凹溝２７に取り付けられた状態では、フィルム２２が吸い込み口１２に対して毛羽体２１を挟んだ反対側に位置している。すなわち、フィルム２２は、毛羽体２１に比べて吸い込み口１２からの距離が遠い位置に配置される。
【００３０】
次に、ブラシ１６の作用について説明する。
さて、電気掃除機を使用するときには、図２に示すように、まず、吸い込み具１１を床面Ｆ上に載せる。この状態で電気掃除機を稼動させると、ブラシ１６の内側の空気が吸い込み口１２を通り、接続パイプ１７を介して電気掃除機の本体部（図示略）内に吸引されるようになる。そして、吸い込み具１１を床面Ｆ上に沿って前後方向に往復移動させると、床面Ｆ上の塵埃がブラシ１６の毛羽体２１によって掃き取られて空気とともに電気掃除機の本体部（図示略）内に吸引される。このとき、フィルム２２はほとんど床面Ｆに接触しないため、ブラシ１６が床面Ｆ上を円滑に摺動する。
【００３１】
さらにこのとき、ブラシ１６の周囲の空気がブラシ１６の内側へ流入しようとするが、該流入しようとする空気は、フィルム２２によって遮断される。したがって、ブラシ１６の周囲の空気は、フィルム２２の先端と床面Ｆとの間の僅かな隙間からしかブラシ１６の内側へ流入しない。このため、ブラシ１６の内側の負圧が十分に確保されるため、床面Ｆ上の塵埃に作用する電気掃除機の吸引力の低下が抑制される。この結果、電気掃除機により、床面Ｆ上が効果的に清掃される。
【００３２】
以上詳述した第１実施形態によれば次のような効果が発揮される。
（１）ブラシ１６は、毛羽体２１、基材２０、及びフィルム２２が一体に溶着された構成であるため、電気掃除機の吸い込み具１１の凹溝２７に対して容易に取り付けることができる。加えて、電気掃除機の使用時に、ブラシ１６で囲まれた空間への周囲の空気の流入をフィルム２２によって遮断することができるので、床面Ｆ上の塵埃に作用する電気掃除機の吸引力の低下を抑制することができる。
【００３３】
（２）ブラシ１６の基材２０は、熱可塑性エラストマによって構成されている。このため、吸い込み具１１の凹溝２７に挿入して各係止片２８に容易に係止させることができるので、吸い込み具１１に対してブラシ１６を効率よく容易に取り付けることができる。加えて、吸い込み具１１をその底面１１ａ側から見たときの凹溝２７の形状が例えば円環状やＵ字状などに変更された場合でも、基材２０（ブラシ１６）が可撓性を有しているため、ブラシ１６を凹溝２７に容易に取り付けることができる。また、基材２０が熱可塑性エラストマによって構成されることで、基材２０を金属で構成する場合に比べてブラシ１６自体の軽量化を図ることができる。さらには、ブラシ１６を保管したり運搬したりする場合でも、ブラシ１６を適宜変形させることで、保管スペースや運搬時の荷台のスペースを無駄なく効率的に利用することができる。
【００３４】
（３）ブラシ１６は、各ブラシ糸２１ａ（毛羽体２１）の先端が、フィルム２２の先端よりも突出している。このため、被清掃面である床面Ｆに対して、フィルム２２をほとんど接触させることなく各ブラシ糸２１ａ（毛羽体２１）を摺接させることができるので、床面Ｆに対するブラシ１６の摺動性を向上することができる。
【００３５】
（４）フィルム２２は、可撓性を有し、且つ各ブラシ糸２１ａの一部及び保持糸２３とともに一対の挟持片２０ａに挟持された状態で溶着されている。このため、各ブラシ糸２１ａ（毛羽体２１）にフィルム２２を密着させることができるので、フィルム２２の各ブラシ糸２１ａに対する追従性を高めることができる。
【００３６】
（５）毛羽体２１を構成する各ブラシ糸２１ａは、摩擦耐久性及び復元性に優れたポリアミド製のマルチフィラメントで構成されているため、ブラシ１６が持つ床面Ｆ上の塵埃を掃き取る機能を長期間維持することができる。
【００３７】
（第２実施形態）
次に、本発明の第２実施形態を、上記第１実施形態と異なる点を中心に説明する。
この第２実施形態のブラシ３０は、図８に示すように、上記第１実施形態のブラシ１６において、基材２０の形状を変更して基材３１とするとともに、フィルム２２の代わりに遮断部材として遮断片３２を基材３１に設けたものである。
【００３８】
図８に示すように、基材３１は、毛羽体２１を挟持するための挟持部としての一対の帯状をなす挟持片３０ａと、該各挟持片３０ａの基端同士を連結するとともに凹溝２７に挿入されて各係止片２８によって係止される帯状の基部３３とを備えている。各挟持片３０ａと毛羽体２１とは、上記第１実施形態と同様に、溶着されている。
【００３９】
基部３３の両側面には、凹部３３ａが対をなすようにそれぞれ形成されている。また、各挟持片３０ａのうち吸い込み口１２からの距離が遠い方には、帯状の遮断片３２が毛羽体２１と対向するように一体に形成されている。遮断片３２の厚さは、各挟持片３０ａの厚さよりも薄くなるように設定されている。
【００４０】
この場合、遮断片３２は、二色成形によって基材３１と一体に形成してもよいし、基材３１とは別体として構成して該基材３１に接着剤や両面粘着テープなどを用いて接合してもよい。さらにこの場合、遮断片３２は、基材３１を構成する材料よりも軟らかい材料によって構成してもよい。またさらにこの場合、遮断片３２の厚さは、挟持片３０ａの厚さと同じにしてもよい。
【００４１】
各ブラシ糸２１ａ（毛羽体２１）の先端は、遮断片３２の先端よりも若干（例えば、１〜１０ｍｍ程度）突出している。そして、ブラシ３０は、該ブラシ３０で囲まれた空間への周囲の空気の流入を抑えることを考慮すると、各ブラシ糸２１ａの延びる方向（吸い込み具１１の底面１１ａと直交する方向）において、各ブラシ糸２１ａ（毛羽体２１）における各挟持片３０ａから突出した部分の長さが、基材３１の長さの半分以下となるように設定されることが好ましい。本実施形態では、各ブラシ糸２１ａ（毛羽体２１）における各挟持片３０ａから突出した部分の長さが、基材３１の長さの約３分の１程度となるように設定されている。
【００４２】
以上詳述した第２実施形態によれば次のような効果が発揮される。
（６）各ブラシ糸２１ａ（毛羽体２１）における各挟持片３０ａから突出した部分の長さが基材３１の長さの約３分の１程度（半分以下）となるように設定されているため、ブラシ３０における各ブラシ糸２１ａ（毛羽体２１）の占める割合を抑えることができる。このため、遮断片３２によりブラシ３０で囲まれた空間への周囲の空気の流入を効率的に低減することができるので、床面Ｆ上の塵埃に作用する電気掃除機の吸引力の低下を効果的に抑制することができる。加えて、各ブラシ糸２１ａ自体が短くなることで、該各ブラシ糸２１ａが撓む際の抵抗力（各ブラシ糸２１ａの腰）が強くなるため、床面Ｆ上の塵埃に対する掻取り性能を向上させることができる。
【００４３】
（７）遮断片３２が基材３１の一方の挟持片３０ａに一体形成されているため、ブラシ３０を構成する部品点数を低減することができる。
（第３実施形態）
次に、本発明の第３実施形態を、上記第１実施形態と異なる点を中心に説明する。
【００４４】
この第３実施形態のブラシ４０は、図９に示すように、上記第１実施形態のブラシ１６において、基材２０を省略するとともに、毛羽体２１の各保持糸２３のうちの内側のもの（各ブラシ糸２１ａの中央部側に位置する方）の太さを外側のものの太さよりも太くしたものである。そして、ブラシ４０を各保持糸２３側から凹溝２７に挿入すると、各係止片２８によって各保持糸２３のうちの太くした方の保持糸２３が係止されるようになっている。
【００４５】
この場合、毛羽体２１とフィルム２２とは、溶着によって接合してもよいし、接着剤や両面粘着テープを用いて接合してもよい。なお、本実施形態では、各保持糸２３のうちの太くした方の保持糸２３が、吸い込み具１１の凹溝２７に取り付け可能な取付部を構成している。
【００４６】
以上詳述した第３実施形態によれば次のような効果が発揮される。
（８）電気掃除機の吸い込み具１１の凹溝２７にブラシ４０を各保持糸２３側から挿入するだけで、各保持糸２３のうちの太くした方の保持糸２３が各係止片２８によって係止されるため、吸い込み具１１にブラシ４０を容易に取り付けることができる。
【００４７】
（９）ブラシ４０は、上記第１及び第２実施形態で用いた基材２０，３１が不要であるため、上記第１及び第２実施形態のブラシ１６，３０に比べて、基材２０，３１の分だけ軽量化を図ることができる。
【００４８】
（変更例）
なお、上記各実施形態は、次のように変更して具体化することも可能である。
・図１０に示すように、第１実施形態のブラシ１６において、フィルム２２の代わりに帯状の遮断片４５を遮断部材として基材２０の各挟持片２０ａのうちの一方に設けるようにしてもよい。この場合、遮断片４５は、二色成形によって基材２０と一体に形成してもよいし、基材２０とは別体として構成して該基材２０に接着剤や両面粘着テープなどを用いて接合してもよい。さらにこの場合、遮断片４５は、基材２０を構成する材料よりも軟らかい材料によって構成してもよい。またさらにこの場合、遮断片４５の厚さは、挟持片２０ａの厚さよりも薄くしてもよいし、挟持片２０ａの厚さと同じにしてもよい。
【００４９】
・図１１に示すように、第２実施形態のブラシ３０において、遮断片３２の代わりに遮断部材としてフィルム２２を毛羽体２１とともに基材３１の各挟持片３０ａで挟持した状態で溶着するようにしてもよい。
【００５０】
・図１２に示すように、図１１のブラシ３０において、２つの毛羽体２１間にフィルム２２を配置した状態で該各毛羽体２１と該フィルム２２とをそれぞれ両面粘着テープ５０で接合し、これらを基材３１の各挟持片３０ａで挟持した状態で溶着するようにしてもよい。すなわち、この場合、各毛羽体２１は、それらの一側面が各挟持片３０ａとそれぞれ溶着されるとともに、それらの他側面がそれぞれ両面粘着テープ５０を介してフィルム２２と接合される。さらに、この場合、各毛羽体２１とフィルム２２とをそれぞれ接着剤で接着するようにしてもよい。
【００５１】
・図１３に示すように、図１１のブラシ３０において、フィルム２２及び両面粘着テープ５０を省略するとともに、各毛羽体２１間に帯状の遮断片５５を遮断部材として基材３１に一体形成するようにしてもよい。
【００５２】
・図１４に示すように、第３実施形態のブラシ４０において、太くした保持糸２３を通常の太さに戻すとともに、毛羽体２１に対して新たに別の毛羽体２１を接合し、この新たに接合した毛羽体２１に凹溝２７の各係止片２８と係止可能な係止凹部６０を取付部として形成するようにしてもよい。この場合、係止凹部６０は、毛羽体２１の一部を熱によって溶かすことで形成される。さらにこの場合、毛羽体２１同士は、各毛羽体２１の保持糸２３に熱溶融糸を合糸して、それぞれ対応する保持糸２３同士を溶着することによって接合される。
【００５３】
・図１５に示すように、第３実施形態のブラシ４０において、太くした保持糸２３を通常の太さに戻すとともに、該保持糸２３に、凹溝２７の各係止片２８と係止可能な可撓性を有する突起物６５を取付部として接合するようにしてもよい。
【００５４】
・図１６に示すように、第２実施形態のブラシ３０において、基部３３における凹溝２７への挿入方向の先端部（凹溝２７内における各係止片２８よりも奥に挿入される部分）を、先端に向かうほど徐々に薄くなるように構成してもよい。このようにすれば、基部３３を凹溝２７内に挿入する際に各係止片２８から受ける抵抗を低減することができる。すなわち、凹溝２７に対する基部３３の挿入性を向上することができる。
【００５５】
・図１６のブラシ３０及び第２実施形態のブラシ３０において、基部３３の先端部（凹溝２７内における各係止片２８よりも奥に挿入される部分）を、基材３１における基部３３の先端部以外の部分よりも硬くなるように構成してもよい。このようにすれば、ブラシ３０を凹溝２７に取り付けた後に、基部３３が変形して各係止片２８を乗り越えて凹溝２７から脱落することを効果的に抑制することができる。さらにこの場合、基材３１における基部３３の先端部以外の部分は該基部３３よりも軟らかいため、ブラシ３０を矩形環状の凹溝２７に取り付ける際の凹溝２７のコーナ部におけるブラシ３０の屈曲性（追従性）を確保することができる。なお、基部３３の先端部を基材３１における該基部３３の先端部以外の部分よりも硬くする方法としては、基部３３の先端部を形成する材料を基材３１における該基部３３の先端部以外の部分を形成する材料よりも硬くした上で、基材３１を共押出成形によって形成することが好ましい。
【００５６】
・第１及び第２実施形態のブラシ１６，３０において、基材２０，３１は必ずしも可撓性材料によって構成する必要はない。
・第２実施形態のブラシ３０において、必ずしも各ブラシ糸２１ａ（毛羽体２１）における各挟持片３０ａから突出した部分の長さが基材３１の長さの半分以下となるように設定する必要はない。
【００５７】
・各実施形態において、毛羽体２１の先端は、必ずしも遮断部材（フィルム２２または遮断片３２）の先端よりも突出している必要はない。
・各実施形態において、遮断部材（フィルム２２または遮断片３２）は、必ずしも可撓性を有する必要はない。
【００５８】
・上記各実施形態及び各変更例において、基材２０，３１、遮断部材（フィルム２２または遮断片３２，４５，５５）、及び各挟持片２０ａ，３０ａの間でのそれぞれの接合方法は、熱溶着（熱接着性樹脂を用いるものも含む）、超音波溶着、接着剤による接着、両面粘着テープによる貼着、共押出成形によるものなどを状況に応じて適宜選択してもよい。この場合、接合方法に熱溶着及び超音波溶着を選択する場合は、溶着する対象物同士を互いに溶着可能な同系の樹脂材料で構成する必要がある。
【００５９】
・上記各実施形態及び各変更例において、毛羽体２１のブラシ糸２１ａは、ポリアミド以外の材料、例えばポリエステルやポリプロピレンによって構成してもよい。
・上記各実施形態及び各変更例において、フィルム２２の代わりに不織布を遮断部材として用いてもよい。
【００６０】
さらに、上記第３実施形態より把握できる技術的思想について以下に記載する。
（イ）電気掃除機の吸い込み具に対して吸い込み口を囲むように取り付けられるブラシであって、
複数のブラシ糸と、
該各ブラシ糸を互いに並列した状態で保持する保持糸と、
前記各ブラシ糸に沿うように前記保持糸に接合され、空気の流通を遮断可能な遮断部材と、
前記各ブラシ糸の一端側に設けられ、前記吸い込み具に取り付け可能な取付部と
を備えたことを特徴とするブラシ。
【００６１】
この構成によれば、取付部により、電気掃除機の吸い込み具に対してブラシを容易に取り付けることができる。
（ロ）前記取付部は、前記各ブラシ糸よりも太くした前記保持糸によって構成されていることを特徴とする上記（イ）に記載のブラシ。
【００６２】
この構成によれば、例えば電気掃除機の吸い込み具に取付部を挿入状態で係止可能な凹溝を形成することで、該吸い込み具に対してブラシを容易に取り付けることができる。
【符号の説明】
【００６３】
１１…電気掃除機の吸い込み具、１２…吸い込み口、１６，３０，４０…ブラシ、２０，３１…基材、２０ａ，３０ａ…挟持部としての挟持片、２１ａ…ブラシ糸、２２…遮断部材としてのフィルム、２３…保持糸、３２，４５，５５…遮断部材として遮断片。
【図１】
0005722707.tif 000002
【図２】
0005722707.tif 000003
【図３】
0005722707.tif 000004
【図４】
0005722707.tif 000005
【図５】
0005722707.tif 000006
【図６】
0005722707.tif 000007
【図７】
0005722707.tif 000008
【図８】
0005722707.tif 000009
【図９】
0005722707.tif 000010
【図１０】
0005722707.tif 000011
【図１１】
0005722707.tif 000012
【図１２】
0005722707.tif 000013
【図１３】
0005722707.tif 000014
【図１４】
0005722707.tif 000015
【図１５】
0005722707.tif 000016
【図１６】
0005722707.tif 000017